【手続補正書】
【提出日】平成17年3月15日(2005.3.15)
【手続補正１】
【補正対象書類名】特許請求の範囲
【補正対象項目名】全文
【補正方法】変更
【補正の内容】
【特許請求の範囲】
【請求項１】
画素のアレイを生成するように構成された画像ソースと、
１８０度よりも大きい投影角度で該画素のアレイを表面上へと投影するように構成され、広角レンズアセンブリと、前記画像ソースと該広角レンズアセンブリとの間に存在する画像中継レンズアセンブリとを含むレンズアセンブリと
を含んでなることを特徴とする光学的投影システム。
【請求項２】
前記レンズアセンブリが、隣接する投影された画素間の角度分離が一定になるように前記表面上へと前記画素のアレイを投影するようにさらに構成される請求項１に記載の光学的投影システム。
【請求項３】
前記表面が半球形の表面である請求項１に記載の光学的投影システム。
【請求項４】
前記レンズアセンブリが、半径が変化する半球形の表面上へと前記画素のアレイを投影するようにさらに構成される請求項３に記載の光学的投影システム。
【請求項５】
前記画像ソースがブラウン管を含む請求項１に記載の光学的投影システム。
【請求項６】
前記画像ソースがフィールドエミッタアレイを含む請求項１に記載の光学的投影システム。
【請求項７】
前記画像ソースが、ディジタル光処理ユニットと液晶ディスプレイユニットと液晶オンシリコンユニットからなるユニットのグループから選択されたユニットを含む請求項１に記載の光学的投影システム。
【請求項８】
前記広角レンズアセンブリが、カラー補正と高次の波面成形とを行うように構成された回折光学素子を含む請求項１に記載の光学的投影システム。
【請求項９】
内面を有するドームをさらに含み、前記レンズアセンブリが１８０度よりも大きい投影角度で前記ドームの内面上へと前記画素のアレイを投影するようにさらに構成される請求項１に記載の光学的投影システム。
【請求項１０】
前記画素のアレイを前記表面の選択可能な部分に向ける手段をさらに含む請求項１に記載の光学的投影システム。
【請求項１１】
第１の画素のアレイを生成するように構成された第１の画像ソースと、
直列に配置された第１の複数のレンズを含み、第１の方向に１８０度よりも大きい投影角度で前記第１の画素のアレイを表面上へと投影するように構成された第１のレンズアセンブリと、
第２の画素のアレイを生成するように構成された第２の画像ソースと、
直列に配置された第２の複数のレンズを含み、前記第１の方向とは反対の第２の方向に１８０度よりも大きい投影角度で前記第２の画素のアレイを前記表面上へと投影するように構成された第２のレンズアセンブリと
を含んでなる光学的投影システム。
【請求項１２】
前記第１の画素のアレイと前記第２の画素のアレイとの組合せが、前記表面の連続した３６０度の部分をカバーするものである請求項１１に記載の光学的投影システム。
【請求項１３】
前記第１及び第２のレンズアセンブリが、前記第１及び第２の画素のアレイを隣接する投影された画素間の角度分離が一定になるように前記表面上へと投影するようにさらに構成される請求項１１に記載の光学的投影システム。
【請求項１４】
画素のアレイを生成するように構成された画像ソースと、
１８０度よりも大きい投影角度で該画素のアレイを表面上へと投影するように構成され、カラー補正と高次の波面成形とを行うように構成された広角レンズアセンブリを含むレンズアセンブリと
を含んでなる光学的投影システム。
【請求項１５】
前記画像ソースと前記広角レンズアセンブリとの間にある画像中継レンズアセンブリをさらに含む請求項１４に記載の光学的投影システム。
【請求項１６】
前記レンズアセンブリが、隣接する投影された画素間の角度分離が一定になるように前記画素のアレイを前記表面上へと投影するようにさらに構成される請求項１４に記載の光学的投影システム。
【請求項１７】
前記表面が半球形の表面である請求項１４に記載の光学的投影システム。
【請求項１８】
内面を有するドームをさらに含み、前記レンズアセンブリが１８０度よりも大きい投影角度で前記ドームの内面上へと前記画素のアレイを投影するようにさらに構成される請求項１４に記載の光学的投影システム。
【請求項１９】
直列に配置された複数のレンズからなるレンズアセンブリから１８０度よりも大きい投影角度で表面上へと画素のアレイを投影するステップを含む画像の投影方法。
【請求項２０】
前記画素のアレイを投影するステップが、隣接する投影された画素間の角度分離が一定になるように直列に配置された複数のレンズからなるレンズアセンブリから１８０度よりも大きい投影角度で前記表面上へと前記画素のアレイを投影するステップを含む請求項１９に記載の方法。
【請求項２１】
前記表面が半球形の表面である請求項１９に記載の方法。
【請求項２２】
前記画素のアレイを投影するステップが、前記レンズアセンブリから１８０度よりも大きい投影角度で半径が変化する前記半球形の表面上へと前記画素のアレイを投影するステップを含む請求項２１に記載の方法。
【請求項２３】
前記レンズアセンブリが広角レンズアセンブリを含み、画像ソースと前記広角レンズアセンブリとの間に前記画素のアレイを光学的に中継するステップをさらに含む請求項１９に記載の方法。
【請求項２４】
前記レンズアセンブリを前記表面の選択可能な部分に向けるステップをさらに含む請求項１９に記載の方法。
【請求項２５】
前記表面がドームの内面である請求項１９に記載の方法。
【請求項２６】
前記画素のアレイを投影するステップが、直列に配置された第１の複数のレンズからなる第１のレンズアセンブリから第１の方向に１８０度よりも大きい投影角度で前記表面上へと第１の画素のアレイを投影するものであり、
直列に配置された第２の複数のレンズからなる第２のレンズアセンブリから前記第１の方向とは反対の第２の方向に１８０度よりも大きい投影角度で前記表面上へと第２の画素のアレイを投影するステップをさらに含むものである請求項１９に記載の方法。
【請求項２７】
前記第１の画素のアレイと前記第２の画素のアレイとの組合せが、前記表面の連続した３６０度の部分をカバーするものである請求項２６に記載の方法。
【請求項２８】
画素のアレイを提供する手段と、
広角レンズアセンブリと、画像ソースと該広角レンズアセンブリとの間に存在する画像中継レンズアセンブリとを含むレンズアセンブリから、１８０度よりも大きい投影角度で表面上へと前記画素のアレイを投影する手段と
を含んでなる光学的投影システム。
【請求項２９】
前記投影する手段が、隣接する投影された画素間の角度分離が一定になるように前記画素のアレイを前記表面上へと投影する手段を含む請求項２８に記載の光学的投影システム。
【請求項３０】
前記表面が半球形の表面である請求項２８に記載の光学的投影システム。
【請求項３１】
前記投影する手段が、半径が変化する半球形の表面上へと１８０度よりも大きい投影角度で前記画素のアレイを投影する手段を含む請求項３０に記載の光学的投影システム。
【請求項３２】
前記画像ソースがブラウン管を含む請求項２８に記載の光学的投影システム。
【請求項３３】
前記画像ソースがフィールドエミッタアレイを含む請求項２８に記載の光学的投影システム。
【請求項３４】
前記画像ソースが、ディジタル光処理ユニットと液晶ディスプレイユニットと液晶オンシリコンユニットからなるユニットのグループから選択されたユニットを含む請求項２８に記載の光学的投影システム。
【請求項３５】
前記広角レンズアセンブリが、カラー補正と高次の波面成形とを行うように構成された回折光学素子を含む請求項２８に記載の光学的投影システム。
【請求項３６】
内面を有するドームをさらに含み、
前記投影する手段が１８０度よりも大きい投影角度で前記ドームの内面上へと前記画素のアレイを投影する手段を含む請求項２８に記載の光学的投影システム。
【請求項３７】
前記表面の選択可能な部分に前記画素のアレイを向ける手段をさらに含む請求項２８に記載の光学的投影システム。
【請求項３８】
第１の画素のアレイを提供する手段と、
直列に配置された第１の複数のレンズを含む第１のレンズアセンブリから、第１の方向に１８０度よりも大きい投影角度で前記第１の画素のアレイを表面上へと投影する手段と、
第２の画素のアレイを提供する手段と、
直列に配置された第２の複数のレンズを含む第２のレンズアセンブリから、前記第１の方向とは反対の第２の方向に１８０度よりも大きい投影角度で前記第２の画素のアレイを前記表面上へと投影する手段と
を含んでなる光学的投影システム。
【請求項３９】
前記第１の画素のアレイと前記第２の画素のアレイとの組合せが、前記表面の連続した３６０度の部分をカバーするものである請求項３８に記載の光学的投影システム。
【請求項４０】
前記第１の画素のアレイを投影する手段が、隣接する投影された画素間の角度分離が一定になるように前記表面上へと前記第１の画素のアレイを投影する手段を含み、前記第２の画素のアレイを投影する手段が、隣接する投影された画素間の角度分離が一定になるように前記表面上へと前記第２の画素のアレイを投影する手段を含む請求項３８に記載の光学的投影システム。
【請求項４１】
画素のアレイを提供する手段と、
カラー補正と高次の波面成形とを行うように構成された広角レンズアセンブリを含むレンズアセンブリから１８０度よりも大きい投影角度で前記画素のアレイを表面上へと投影する手段と
を含んでなる光学的投影システム。
【請求項４２】
前記画素のアレイを提供する手段と前記広角レンズアセンブリとの間にある画像中継レンズアセンブリをさらに含む請求項４１に記載の光学的投影システム。
【請求項４３】
前記投影する手段が、隣接する投影された画素間の角度分離が一定になるように前記画素のアレイを投影する手段を含む請求項４１に記載の光学的投影システム。
【請求項４４】
前記表面が半球形の表面である請求項４１に記載の光学的投影システム。
【請求項４５】
内面を有するドームをさらに含み、前記投影する手段が１８０度よりも大きい投影角度で前記ドームの内面上へと前記画素のアレイを投影する手段をさらに含む請求項４１に記載の光学的投影システム。